(57)【要約】      （修正有）【課題】カートリッジをICチップが故障するまでリサイクルし続けることができ、環境保護の目的及び効果を達成することができる一種のエコカートリッジICチップを提供する。【解決手段】ICチップ3は主にCPUコントロール回路とデータバスと複数個の記憶体とからなり、カートリッジ1上に設置され、ICチップ3はデータバスによりプリンターと情報伝達され、各記憶体はそれぞれ別々にバージンカートリッジインク量、カートリッジインク量回復点、回復点到達後の回復インク量値等を提供する。【選択図】図２
0003111624.tif 000002
【実用新案登録請求の範囲】
【請求項１】
主にCPUコントロール回路(31)とデータバス(32)と複数個の記憶体とを含み、データバス(32)の一端はCPUコントロール回路(31)と連結され、もう一端はプリンターと接触され、各記憶体はそれぞれ別々にバージンカートリッジインク量、カートリッジインク量回復点、回復点到達後の回復インク量値等を提供することを特徴を有するエコカートリッジICチップ。
【請求項２】
上記ICチップ(3)は先にICチップ座(2)に取り付けてからカートリッジ(1)に嵌入設置することを特徴とする請求項１記載のエコカートリッジICチップ。
【請求項３】
上記バージンカートリッジインク量を提供する記憶体(33)は256K以上の記憶量を有することを特徴とする請求項１記載のエコカートリッジICチップ。
【考案の詳細な説明】
【技術分野】
【０００１】
本考案は一種のエコカートリッジICチップに関するものであり、特にプリンターのカートリッジ(1)をリサイクルし続けることができるICチップ(3)に関する。
【背景技術】
【０００２】
一般的な従来のカートリッジ(100)は図１が示す如く、カートリッジ(100)内にスポンジ(200)を具備し、スポンジ(200)の毛細管現象により、プリンターのプリントヘッドに安定した量のインクを供給することができるが、使い終わったカートリッジ(100)は捨てている現状である。カートリッジ(100)内にインクを注入し、何度も再利用しようとすれば、カートリッジ(100)内のスポンジ(200)は注入したインクによりゆっくりと腐食され、印刷の品質に影響を与える為、繰り返し使用し続けることができない。使用済のカートリッジ(100)は捨てなければならない為、環境汚染の問題となっている。
【０００３】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【考案の開示】
【考案が解決しようとする課題】
【０００４】
本考案は一種のエコカートリッジICチップを提供するもので、ICチップ(3)は主にCPUコントロール回路(31)とデータバス(32)と複数個の記憶体とからなり、カートリッジ(1)上に設置され、ICチップ(3)はデータバス(32)によりプリンターと情報伝達され、各記憶体はそれぞれ別々にバージンカートリッジインク量、カートリッジインク量回復点、回復点到達後の回復インク量値等を提供することができ、上記構造によりカートリッジ(1)をICチップ(3)が故障するまでリサイクルし続けることができ、環境保護の目的及び効果を達成することができる。
【課題を解決するための手段】
【０００５】
本願請求項１の考案は、主にCPUコントロール回路(31)とデータバス(32)と複数個の記憶体とを含み、データバス(32)の一端はCPUコントロール回路(31)と連結され、もう一端はプリンターと接触され、各記憶体はそれぞれ別々にバージンカートリッジインク量、カートリッジインク量回復点、回復点到達後の回復インク量値等を提供することを特徴を有するエコカートリッジICチップである。
【０００６】
また、請求項２の考案は、上記ICチップ(3)は先にICチップ座(2)に取り付けてからカートリッジ(1)に嵌入設置することを特徴とする請求項１記載のエコカートリッジICチップである。
【０００７】
さらに、請求項３の考案は、上記バージンカートリッジインク量を提供する記憶体(33)は256K以上の記憶量を有することを特徴とする請求項１記載のエコカートリッジICチップである。
【考案の効果】
【０００８】
１．本来のインク量計算機能を保持することができる。
２．インク量の回復点の設定により補充の為の警告マークを表示することができる。
３．各インクの量を回復させることができ、カートリッジ(1)を再利用することができる。
４．電源のオン、オフに係わらず、インク量の記録を保持することができ、電源のオン或いはオフによりインク量の記録が消失することにより起きるインク切れ状態での印刷によるプリンターのプリントヘッドの損壊を防ぐことができる。
【考案を実施するための最良の形態】
【０００９】
本考案の構造の特徴及びその効果を以下に実施例とそれに合わせた図式及び詳細な説明を列挙し、本考案の長所を詳述する。
【実施例】
【００１０】
図２が示す如く、本考案のカートリッジ(1)プラスチック外殻(11)の突起(111)にICチップ(3)を具備するICチップ座(2)を取り付ける。
【００１１】
図３が示す如く、ICチップ(3)はCPUコントロール回路(31)とデータバス(32)とバージンカートリッジインク量記憶体(33)とカートリッジインク量回復点記憶体(34)と回復点到達後の回復インク量値記憶体(35)とから構成され、データバス(32)の一端はCPUコントロール回路(31)と連結され、もう一端はプリンターと接触する構造によりプリンターとICチップ(3)との間で情報伝達がなされる。又、３つの記憶体はそれぞれ別々にCPUコントロール回路(31)に連結され、そのうち、バージンカートリッジインク量記憶体(33)は256K以上の記憶量を有する。
【００１２】
図４のフローチャートが示す如く、本考案のカートリッジ(1)のICチップ(3)はステップ10で、まず、プリンター使用前にインク量回復警告点を設定する。
ステップ20でインク量回復値を設定する。
ステップ30でカートリッジ(1)を印刷できる状態にし、印刷を行なう。
ステップ40で、カートリッジ(1)のインク量が回復点に達したかどうかを判断する。達していない場合にはステップ30に戻り、カートリッジ(1)を継続使用し、印刷を続けることができる。
インクの量が回復点に達した時、ステップ50に進み、警告マーク「！」を出現させる。
ステップ60でカートリッジ(1)内のインクの有無をチェックする。
インクの有無のチェックはカートリッジ(1)交換用ボタン或いは（プリンターの）スイッチを切り、カートリッジ(1)を取り外すことにより、目視により行なうこともできる。
カートリッジ(1)にインクを補充後、
ステップ70でカートリッジ(1)のICチップ(3)はインク量値を自動回復させる。ステップ30に戻り、カートリッジ(1)を継続使用し、印刷を続けることができる。
【００１３】
上記は本考案の考案実施例について本創作の技術及び特徴を具体に説明するもので、熟知した技術者が本創作の延長線上で修正作業を行なっても本創作の権利範囲内である。
【図面の簡単な説明】
【００１４】
【図１】従来のカートリッジの断面図である。
【図２】本考案の断面図である。
【図３】本考案のブロックである。
【図４】本考案の実施例のフローチャートである。
【符号の説明】
【００１５】
従来の符号：
100  カートリッジ
200  スポンジ
本考案の符号：
1  カートリッジ
11  プラスチック外殻
111  突起
12  頂蓋
2  ICチップ座
3  ICチップ
31  CPUコントロール回路
32  データバス
33  バージンカートリッジインク量記憶体
34  カートリッジインク量回復点記憶体
35  回復点到達後の回復インク量値記憶体
【図１】
0003111624.tif 000003
【図２】
0003111624.tif 000004
【図３】
0003111624.tif 000005
【図４】
0003111624.tif 000006